【手続補正書】
【提出日】平成17年3月18日(2005.3.18)
【手続補正１】
【補正対象書類名】明細書
【補正対象項目名】発明の名称
【補正方法】変更
【補正の内容】
【発明の名称】複合ＩＣカード
【手続補正２】
【補正対象書類名】明細書
【補正対象項目名】特許請求の範囲
【補正方法】変更
【補正の内容】
【特許請求の範囲】
【請求項１】
接触式インターフェイスと非接触式インターフェイスとを有すると共に、前記接触式インターフェイスまたは非接触式インターフェイスにより選択的に駆動される複合ＩＣカードにおいて、
前記接触式インターフェイス及び非接触式インターフェイスのどちらにより起動されているかを判別する判別手段と、
この判別手段による判別結果に基づいて、複合ＩＣカードにおける実行可能なコマンドを切り替える切替手段と、
を有することを特徴とする複合ＩＣカード。
【請求項２】
接触式インターフェイスと非接触式インターフェイスとを有すると共に、前記接触式インターフェイスまたは非接触式インターフェイスにより選択的に駆動される複合ＩＣカードにおいて、
前記非接触式インターフェイス及び非接触式インターフェイスから供給される信号の状態に基づいて、前記接触式インターフェイス及び非接触式インターフェイスのどちらにより起動されているかを判別する判別手段と、
この判別手段による判別結果に基づいて、前記複合ＩＣカードにおける実行可能なコマンドを切り替える切替手段と、
を有することを特徴とする複合ＩＣカード。
【請求項３】
接触式インターフェイスと、非接触式インターフェイスとを有すると共に、前記接触式インターフェイスまたは非接触式インターフェイスにより選択的に駆動される複合ＩＣカードにおいて、
前記接触式インターフェイス及び非接触式インターフェイスのどちらにより起動されているかを判別する判別手段と、
この判別手段による判別結果に基づいて、前記複合ＩＣカードにおける実行可能なコマンドを切り替える切替手段とを有し、
上記切替手段は、前記判別手段による判別結果により、前記接触式インターフェイスにより起動されたとする場合には、データの書き替え及び消去のコマンドの実行を許可し、前記非接触式インターフェイスにより起動されたとする場合にはデータの書き替え及び消去のコマンドの実行を禁止するようにしたこと特徴とする複合ＩＣカード。
【請求項４】
接触式インターフェイスと非接触式インターフェイスを有し、接触式インターフェイスまたは非接触式インターフェイスにより駆動される複合ＩＣカードにおいて、
前記接触式インターフェイスにより駆動されている場合に実行可能なコマンドを記憶している第１のテーブルと、
前記非接触式インターフェイスにより駆動されている場合に実行可能なコマンドを記憶している第２のテーブルと、
複合ＩＣカードが、接触式インターフェイスにより起動されているか、非接触式インターフェイスにより起動されているかを判別する判別手段とを有し、
この判別手段による判別結果に基づき、複合ＩＣカードが前記接触式インターフェイスにより起動されている場合には、外部機器より受信したコマンドを前記第１のテーブルを参照することにより実行し、複合ＩＣカードが非接触式インターフェイスにより起動されている場合には外部機器より受信したコマンドを前記第２のテープルを参照することにより実行するように構成されていることを特徴とする複合ＩＣカード。
【請求項５】
駆動電力およびデータ等の授受を行なうための複数の接触端子から成る接触式インターフェイスと、
アンテナと、
このアンテナを介して受信した信号により駆動電力の生成および受信データの復調を行なう非接触式インターフェイスと、
前記接触式インターフェイスおよび非接触式インターフェイスと接続され、前記接触式インターフェイスまたは非接触式インターフェイスを介して受信したデータの処理を行うとともに、前記接触式インターフェイスより駆動電力が供給されているか前記非接触式インターフェイスより駆動電力が供給されているかを確認することにより、前記接触式インターフェイスにより起動されているか、前記非接触式インタ一フェイスにより起動されているかを判別する制御回路と、
前記接触式インターフェイスにより起動されているか、非接触式インターフェイスにより起動されているかの判別結果を記憶する揮発性メモリと、
前記接触式インターフェイスにより起動されている場合に実行可能なコマンドを記憶している第１のテーブルと、前記非接触式インターフェイスにより起動されている場合に実行可能なコマンドを記憶している第２のテーブルとを記憶している不揮発性メモリとを具備し、
前記制御回路は外部機器よりコマンドを受信した場合に前記揮発性メモリの記憶内容を確認し、前記接触式インターフェイスにより起動されている場合は前記第１のテーブルを参照することによリコマンドを実行し、前記非接触式インターフェイスにより起動されている場合は前記第２のテーブルを参照することによりコマンドを実行するように構成されていることを特徴とする複合ＩＣカード。
【請求項６】
駆動電力およびデータ等の授受を行なうための複数の接触端子から成る接触式インターフェイスと、
アンテナと、
このアンテナを介して受信した信号により駆動電力の生成および受信データの復調を行なう非接触式インターフェイスと、
前記接触式インターフェイスおよび非接触式インターフェイスと接続され接触式インターフェイス又は非接触式インターフェイスを介して受信したデータの処理を行なうとともに、前記接触式インターフェイスより駆動電力が供給されているのか、前記非接触式インターフェイスより駆動電力が供給されているのかを確認することにより、前記接触式インターフェイスにより起動されているか、前記非接触式インターフェイスにより起動されているかを判別する制御回路と、
前記接触式インターフェイスにより起動されているか、前記非接触式インターフェイスにより起動されているかの判別結果を記憶する揮発性メモリと、
前記制御回路により実行可能なコマンド毎のサブルーチンを記憶している第１の不揮発性メモリと、前記制御回路により実行可能なコマンドのうち前記接触式インターフェイスにより起動されている場合に実行可能なコマンドを記憶している第１のテーブルと、前記制御回路により実行可能なコマンドのうち前記非接触式インターフェイスにより起動されている場合に実行可能なコマンドを記憶している第２のテーブルとを有する第２の不揮発性メモリとを具備し、
前記制御回路は外部機器よりコマンドを受信した場合に前記揮発性メモリの記憶内容を参照して、前記接触式インターフェイスにより起動されているか、前記非接触式インターフェイスにより起動されているかを判別し、前記非接触式インターフェイスにより起動されている場合は前記第１のテーブルを参照して該当するコマンドが存在する場合には該コマンドに対応する第１の不揮発性メモリのサブルーチンを実行し、前記非接触式インターフェイスにより起動されている場合は前記第２のテーブルを参照して該当するコマンドが存在する場合には該コマンドに対応する前記第１の不揮発性メモリのサブルーチンを実行するように構成されていることを特徴とする複合ＩＣカード。
【請求項７】
接触式インターフェイス及び非接触式インターフェイスを有し、接触式インターフエイスまたは非接触式インターフェイスにより駆動される複合ＩＣカードにおいて、
当該複合ＩＣカードにおいて実行可能なコマンドおよび各コマンドが接触式インターフェイスにより起動されている場合に実行可能であるか若しくは非接触式インターフェイスにより起動されている場合に実行可能であるかを示す実行可否情報を各コマンドに対応して記憶しているテーブルと、
当該複合ＩＣカードが、接触式インターフェイスにより起動されているか、非接触式インターフェイスにより起動されているかの起動モードを判別する判別手段と、
外部機器よりコマンドを受信した場合には前記テーブルを参照して受信したコマンドが前記判別手段により判別された起動モードにおいて実行可能なコマンドであるかどうかを判定し、現在の起動モードにおいて実行可能と判定された場合に受信したコマンドを実行するように構成されていることを特徴とする複合ＩＣカード。
【請求項８】
駆動電力およびデータ等の授受を行なうための複数の接触端子から成る接触式インターフェイスと、
アンテナと、
このアンテナを介して受信した信号により駆動電力の生成および受信データの復調を行なう非接触式インターフェイスと、
前記接触式インターフェイスおよび非接触式インターフェイスと接続され、接触式インターフェイスまたは非接触式インターフエイスを介して受信したデータの処理を行うとともに、前記接触式インターフェイスより駆動電力が供給されているか前記非接触式インターフェイスより駆動電力が供給されているかを確認することにより、前記接触式インターフェイスにより起動されているか、非接触式インタ一フェイスにより起動されているかを判別する制御回路と、
前記接触式インターフェイスにより起動されているか、前記非接触式インターフェイスにより起動されているかの判別結果を記憶する揮発性メモリと、
実行可能なコマンドのリストおよび各コマンドが前記接触式インターフェイスにより駆動されている場合に実行可能であるのか若しくは前記非接触式インターフェイスにより駆動されている場合に実行可能であるのかを示す実行可否情報を各コマンドに対応して記憶しているテーブルと、
前記接触式インターフェイスにより起動されているか、前記非接触式インターフェイスにより起動されているかの起動モードを判別する判別手段と、
外部機器よりコマンドを受信した場合には前記テーブルを参照して受信したコマンドが前記制御回路により判別された起動モードにおいて実行可能なコマンドであるかどうかを判定し、現在の起動モードにおいて実行可能と判定された場合に受信したコマンドを実行するように構成されていることを特徴とする複合ＩＣカード。
【請求項９】
駆動電力およびデータ等の授受を行うための複数の接触端子からなる接触式インターフェイスと、
アンテナと、
このアンテナを介して受信した信号により駆動電力の生成および受信データの復調を行なう非接触式インターフェイスと、
前記接触式インターフエイスおよび非接触式インターフェイスと接続され、接触式インターフェイスまたは非接触式インターフェイスを介して受信したデータの処理を行うとともに、前記接触式インターフェイスより駆動電力が供給されているか非接触式インターフェイスより駆動電力が供給されているかを確認することにより、前記接触式インターフェイスにより起動されているか、前記非接触式インターフェイスにより起動されているかを判別する制御回路と、
前記接触式インターフェイスにより起動されているか、前記非接触式インターフェイスにより起動されているかの判別結果を記憶する揮発性メモリと、
前記制御回路により実行可能なコマンド部毎のサブルーチンを記憶している第１の不揮発性メモリ部と、
実行可能なコマンドおよび各コマンドが前記接触式インターフェイスにより駆動されている場合に実行可能であるか若しくは前記非接触式インターフェイスにより駆動されている場合に実行可能であるかを示す実行可否情報を各コマンドに対応して記憶しているテーブルを有する第２の不揮発性メモリ部とを具備し、
前記制御回路は、外部機器よりコマンドを受信した場合には第２の不揮発性メモリ部の前記テーブルを参照し、該当するコマンドが存在しかつ該コマンドが前記制御回路により判別された起動インターフェイスにおいて実行可能なコマンドであるかどうかを判定し、現在の起動インターフェイスにおいて実行可能と判定された場合には該コマンドに対応する第１の不揮発性メモリのサブルーチンを実行するように構成されていることを特徴とする複合ＩＣカード。
【請求項１０】
接触式インターフェイスと非接触式インターフェイスとを有すると共に、前記接触式インターフェイスまたは非接触式インターフェイスにより選択的に駆動される制御回路とを有する複合ＩＣカードにおいて、
前記接触式インターフェイス及び非接触式インターフェイスの一方を選択して前記制御回路へ接続する選択接続手段と、
前記接触式インターフェイス及び非接触式インターフェイスのどちらにより起動されたかを判別する判別手段と、
この判別手段による判別結果に基づいて、前記制御回路による実行可能なコマンドを切り替える切替手段と、
前記判別手段による判別結果に基づいて、前記選択接続手段による前記接触式インターフェイス若しくは非接触式インターフェイスの一方を前記制御回路に接続した状態を維持すると共に、前記接触式インターフェイス若しくは非接触式インターフェイスの他方を介しての信号の入出力を禁止状態とする保持手段と、
前記接触式インターフェイス及び非接触式インターフェイスからの状態信号に基づいて前記判別手段の初期化動作を行う初期化手段とを有し、
前記初期化手段は、前記接触式インターフェイス及び非接触式インターフェイスからの状態信号を記憶すると共に、予め記憶されるプログラムに基づいて前記判別手段の初期化動作を行い、
前記保持手段は、当該複合ＩＣカードが前記接触式インターフェイスまたは非接触式インターフェイスの一方を介して外部機器との通信中に、前記接触式インターフェイス及び非接触式インターフェイスからの状態信号を監視すると共に、この監視結果が、前記初期化手段に記憶されている前記接触式インターフェイスまたは非接触式インターフェイスからの状態信号と変化しているか否かを判別し、変化している場合に前記外部機器との通信を停止状態とすると共に、
上記切替手段は、前記判別手段による判別結果が、前記非接触式インターフェイスにより起動されたとする場合に、当該複合ＩＣカードを照合媒体としての利用に加えてプリペイドカードとしての利用を可能としたことを特徴とする複合ＩＣカード。
【手続補正３】
【補正対象書類名】明細書
【補正対象項目名】０００１
【補正方法】変更
【補正の内容】
【０００１】
【発明の属する技術分野】
本発明は、複合ＩＣカードに係り、特に、いずれのインターフェイスから駆動された場合でも誤動作を防止することにより、複合ＩＣカードとしての信頼性を十分に確保するようにした複合ＩＣカードに関する。
【手続補正４】
【補正対象書類名】明細書
【補正対象項目名】０００３
【補正方法】変更
【補正の内容】
【０００３】
すなわち、特公平４−１６８３１号公報に示される複合ＩＣカードは、メモリ及びＣＰＵを有すると共に、外部からの入力に応答して信号を発生するＩＣを備え、外部機器と接触して通信するための電気的接点機構と、外部機器と非接触で通信するためのアンテナ機構とを併設したカードである。
【手続補正５】
【補正対象書類名】明細書
【補正対象項目名】０００４
【補正方法】変更
【補正の内容】
【０００４】
そして、この複合ＩＣカードは、電気的接点機構に接続した外部機器によりメモリの内容の書込み、変更が可能であり、外部機器と非接触で通信する場合にはメモリ内の特定情報を変調してアンテナ機構から出力するように構成されている。
【手続補正６】
【補正対象書類名】明細書
【補正対象項目名】００１０
【補正方法】変更
【補正の内容】
【００１０】
そこで、本発明は以上のような点に鑑みてなされたもので、接触式及び非接触式インターフェイスを有する複合ＩＣカードにおいて、接触式及び非接触式インターフェイスのいずれのインターフェイスから駆動された場合でも誤動作を防止することにより、複合ＩＣカードとしての信頼性を十分に確保するようにした複合ＩＣカードを提供することを目的としている。
【手続補正７】
【補正対象書類名】明細書
【補正対象項目名】００１１
【補正方法】変更
【補正の内容】
【００１１】
【課題を解決するための手段】
本発明によると、上記課題を解決するための手段として、  
１．接触式インターフェイスと非接触式インターフェイスとを有すると共に、前記接触式インターフェイスまたは非接触式インターフェイスにより選択的に駆動される複合ＩＣカードにおいて、  
前記接触式インターフェイス及び非接触式インターフェイスのどちらにより起動されているかを判別する判別手段と、  
この判別手段による判別結果に基づいて、複合ＩＣカードにおける実行可能なコマンドを切り替える切替手段と、  
を有することを特徴とする複合ＩＣカードが提供される。
【手続補正８】
【補正対象書類名】明細書
【補正対象項目名】００１２
【補正方法】変更
【補正の内容】
【００１２】
また、本発明によると、上記課題を解決するための手段として、  
２．接触式インターフェイスと非接触式インターフェイスとを有すると共に、前記接触式インターフェイスまたは非接触式インターフェイスにより選択的に駆動される複合ＩＣカードにおいて、  
前記非接触式インターフェイス及び非接触式インターフェイスから供給される信号の状態に基づいて、前記接触式インターフェイス及び非接触式インターフェイスのどちらにより起動されているかを判別する判別手段と、  
この判別手段による判別結果に基づいて、前記複合ＩＣカードにおける実行可能なコマンドを切り替える切替手段と、  
を有することを特徴とする複合ＩＣカードが提供される。
【手続補正９】
【補正対象書類名】明細書
【補正対象項目名】００１３
【補正方法】変更
【補正の内容】
【００１３】
また、本発明によると、上記課題を解決するための手段として、  
３．接触式インターフェイスと、非接触式インターフェイスとを有すると共に、前記接触式インターフェイスまたは非接触式インターフェイスにより選択的に駆動される複合ＩＣカードにおいて、  
前記接触式インターフェイス及び非接触式インターフェイスのどちらにより起動されているかを判別する判別手段と、  
この判別手段による判別結果に基づいて、前記複合ＩＣカードにおける実行可能なコマンドを切り替える切替手段とを有し、  
上記切替手段は、前記判別手段による判別結果により、前記接触式インターフェイスにより起動されたとする場合には、データの書き替え及び消去のコマンドの実行を許可し、前記非接触式インターフェイスにより起動されたとする場合にはデータの書き替え及び消去のコマンドの実行を禁止するようにしたこと特徴とする複合ＩＣカードが提供される。
【手続補正１０】
【補正対象書類名】明細書
【補正対象項目名】００１４
【補正方法】変更
【補正の内容】
【００１４】
また、本発明によると、上記課題を解決するための手段として、  
４．接触式インターフェイスと非接触式インターフェイスを有し、接触式インターフェイスまたは非接触式インターフェイスにより駆動される複合ＩＣカードにおいて、  
前記接触式インターフェイスにより駆動されている場合に実行可能なコマンドを記憶している第１のテーブルと、  
前記非接触式インターフェイスにより駆動されている場合に実行可能なコマンドを記憶している第２のテーブルと、  
複合ＩＣカードが、接触式インターフェイスにより起動されているか、非接触式インターフェイスにより起動されているかを判別する判別手段とを有し、  
この判別手段による判別結果に基づき、複合ＩＣカードが前記接触式インターフェイスにより起動されている場合には、外部機器より受信したコマンドを前記第１のテーブルを参照することにより実行し、複合ＩＣカードが非接触式インターフェイスにより起動されている場合には外部機器より受信したコマンドを前記第２のテープルを参照することにより実行するように構成されていることを特徴とする複合ＩＣカードが提供される。
【手続補正１１】
【補正対象書類名】明細書
【補正対象項目名】００１５
【補正方法】変更
【補正の内容】
【００１５】
また、本発明によると、上記課題を解決するための手段として、  
５．駆動電力およびデータ等の授受を行なうための複数の接触端子から成る接触式インターフェイスと、  
アンテナと、  
このアンテナを介して受信した信号により駆動電力の生成および受信データの復調を行なう非接触式インターフェイスと、  
前記接触式インターフェイスおよび非接触式インターフェイスと接続され、前記接触式インターフェイスまたは非接触式インターフェイスを介して受信したデータの処理を行うとともに、前記接触式インターフェイスより駆動電力が供給されているか前記非接触式インターフェイスより駆動電力が供給されているかを確認することにより、前記接触式インターフェイスにより起動されているか、前記非接触式インタ一フェイスにより起動されているかを判別する制御回路と、  
前記接触式インターフェイスにより起動されているか、非接触式インターフェイスにより起動されているかの判別結果を記憶する揮発性メモリと、  
前記接触式インターフェイスにより起動されている場合に実行可能なコマンドを記憶している第１のテーブルと、前記非接触式インターフェイスにより起動されている場合に実行可能なコマンドを記憶している第２のテーブルとを記憶している不揮発性メモリとを具備し、  
前記制御回路は外部機器よりコマンドを受信した場合に前記揮発性メモリの記憶内容を確認し、前記接触式インターフェイスにより起動されている場合は前記第１のテーブルを参照することによリコマンドを実行し、前記非接触式インターフェイスにより起動されている場合は前記第２のテーブルを参照することによりコマンドを実行するように構成されていることを特徴とする複合ＩＣカードが提供される。
【手続補正１２】
【補正対象書類名】明細書
【補正対象項目名】００１６
【補正方法】変更
【補正の内容】
【００１６】
また、本発明によると、上記課題を解決するための手段として、  
６．駆動電力およびデータ等の授受を行なうための複数の接触端子から成る接触式インターフェイスと、  
アンテナと、  
このアンテナを介して受信した信号により駆動電力の生成および受信データの復調を行なう非接触式インターフェイスと、  
前記接触式インターフェイスおよび非接触式インターフェイスと接続され接触式インターフェイス又は非接触式インターフェイスを介して受信したデータの処理を行なうとともに、前記接触式インターフェイスより駆動電力が供給されているのか、前記非接触式インターフェイスより駆動電力が供給されているのかを確認することにより、前記接触式インターフェイスにより起動されているか、前記非接触式インターフェイスにより起動されているかを判別する制御回路と、  
前記接触式インターフェイスにより起動されているか、前記非接触式インターフェイスにより起動されているかの判別結果を記憶する揮発性メモリと、  
前記制御回路により実行可能なコマンド毎のサブルーチンを記憶している第１の不揮発性メモリと、前記制御回路により実行可能なコマンドのうち前記接触式インターフェイスにより起動されている場合に実行可能なコマンドを記憶している第１のテーブルと、前記制御回路により実行可能なコマンドのうち前記非接触式インターフェイスにより起動されている場合に実行可能なコマンドを記憶している第２のテーブルとを有する第２の不揮発性メモリとを具備し、  
前記制御回路は外部機器よりコマンドを受信した場合に前記揮発性メモリの記憶内容を参照して、前記接触式インターフェイスにより起動されているか、前記非接触式インターフェイスにより起動されているかを判別し、前記非接触式インターフェイスにより起動されている場合は前記第１のテーブルを参照して該当するコマンドが存在する場合には該コマンドに対応する第１の不揮発性メモリのサブルーチンを実行し、前記非接触式インターフェイスにより起動されている場合は前記第２のテーブルを参照して該当するコマンドが存在する場合には該コマンドに対応する前記第１の不揮発性メモリのサブルーチンを実行するように構成されていることを特徴とする複合ＩＣカードが提供される。
【手続補正１３】
【補正対象書類名】明細書
【補正対象項目名】００１７
【補正方法】変更
【補正の内容】
【００１７】
また、本発明によると、上記課題を解決するための手段として、  
７．接触式インターフェイス及び非接触式インターフェイスを有し、接触式インターフエイスまたは非接触式インターフェイスにより駆動される複合ＩＣカードにおいて、  
当該複合ＩＣカードにおいて実行可能なコマンドおよび各コマンドが接触式インターフェイスにより起動されている場合に実行可能であるか若しくは非接触式インターフェイスにより起動されている場合に実行可能であるかを示す実行可否情報を各コマンドに対応して記憶しているテーブルと、  
当該複合ＩＣカードが、接触式インターフェイスにより起動されているか、非接触式インターフェイスにより起動されているかの起動モードを判別する判別手段と、  
外部機器よりコマンドを受信した場合には前記テーブルを参照して受信したコマンドが前記判別手段により判別された起動モードにおいて実行可能なコマンドであるかどうかを判定し、現在の起動モードにおいて実行可能と判定された場合に受信したコマンドを実行するように構成されていることを特徴とする複合ＩＣカードが提供される。
【手続補正１４】
【補正対象書類名】明細書
【補正対象項目名】００１８
【補正方法】変更
【補正の内容】
【００１８】
また、本発明によると、上記課題を解決するための手段として、  
８．駆動電力およびデータ等の授受を行なうための複数の接触端子から成る接触式インターフェイスと、  
アンテナと、  
このアンテナを介して受信した信号により駆動電力の生成および受信データの復調を行なう非接触式インターフェイスと、  
前記接触式インターフェイスおよび非接触式インターフェイスと接続され、接触式インターフェイスまたは非接触式インターフエイスを介して受信したデータの処理を行うとともに、前記接触式インターフェイスより駆動電力が供給されているか前記非接触式インターフェイスより駆動電力が供給されているかを確認することにより、前記接触式インターフェイスにより起動されているか、非接触式インタ一フェイスにより起動されているかを判別する制御回路と、  
前記接触式インターフェイスにより起動されているか、前記非接触式インターフェイスにより起動されているかの判別結果を記憶する揮発性メモリと、  
実行可能なコマンドのリストおよび各コマンドが前記接触式インターフェイスにより駆動されている場合に実行可能であるのか若しくは前記非接触式インターフェイスにより駆動されている場合に実行可能であるのかを示す実行可否情報を各コマンドに対応して記憶しているテーブルと、 
前記接触式インターフェイスにより起動されているか、前記非接触式インターフェイスにより起動されているかの起動モードを判別する判別手段と、  
外部機器よりコマンドを受信した場合には前記テーブルを参照して受信したコマンドが前記制御回路により判別された起動モードにおいて実行可能なコマンドであるかどうかを判定し、現在の起動モードにおいて実行可能と判定された場合に受信したコマンドを実行するように構成されていることを特徴とする複合ＩＣカードが提供される。
【手続補正１５】
【補正対象書類名】明細書
【補正対象項目名】００１９
【補正方法】変更
【補正の内容】
【００１９】
また、本発明によると、上記課題を解決するための手段として、  
９．駆動電力およびデータ等の授受を行うための複数の接触端子からなる接触式インターフェイスと、  
アンテナと、  
このアンテナを介して受信した信号により駆動電力の生成および受信データの復調を行なう非接触式インターフェイスと、  
前記接触式インターフエイスおよび非接触式インターフェイスと接続され、接触式インターフェイスまたは非接触式インターフェイスを介して受信したデータの処理を行うとともに、前記接触式インターフェイスより駆動電力が供給されているか非接触式インターフェイスより駆動電力が供給されているかを確認することにより、前記接触式インターフェイスにより起動されているか、前記非接触式インターフェイスにより起動されているかを判別する制御回路と、  
前記接触式インターフェイスにより起動されているか、前記非接触式インターフェイスにより起動されているかの判別結果を記憶する揮発性メモリと、  
前記制御回路により実行可能なコマンド部毎のサブルーチンを記憶している第１の不揮発性メモリ部と、  
実行可能なコマンドおよび各コマンドが前記接触式インターフェイスにより駆動されている場合に実行可能であるか若しくは前記非接触式インターフェイスにより駆動されている場合に実行可能であるかを示す実行可否情報を各コマンドに対応して記憶しているテーブルを有する第２の不揮発性メモリ部とを具備し、  
前記制御回路は、外部機器よりコマンドを受信した場合には第２の不揮発性メモリ部の前記テーブルを参照し、該当するコマンドが存在しかつ該コマンドが前記制御回路により判別された起動インターフェイスにおいて実行可能なコマンドであるかどうかを判定し、現在の起動インターフェイスにおいて実行可能と判定された場合には該コマンドに対応する第１の不揮発性メモリのサブルーチンを実行するように構成されていることを特徴とする複合ＩＣカードが提供される。
【手続補正１６】
【補正対象書類名】明細書
【補正対象項目名】００２０
【補正方法】変更
【補正の内容】
【００２０】
また、本発明によると、上記課題を解決するための手段として、  
１０．接触式インターフェイスと非接触式インターフェイスとを有すると共に、前記接触式インターフェイスまたは非接触式インターフェイスにより選択的に駆動される制御回路とを有する複合ＩＣカードにおいて、  
前記接触式インターフェイス及び非接触式インターフェイスの一方を選択して前記制御回路へ接続する選択接続手段と、  
前記接触式インターフェイス及び非接触式インターフェイスのどちらにより起動されたかを判別する判別手段と、  
この判別手段による判別結果に基づいて、前記制御回路による実行可能なコマンドを切り替える切替手段と、  
前記判別手段による判別結果に基づいて、前記選択接続手段による前記接触式インターフェイス若しくは非接触式インターフェイスの一方を前記制御回路に接続した状態を維持すると共に、前記接触式インターフェイス若しくは非接触式インターフェイスの他方を介しての信号の入出力を禁止状態とする保持手段と、  
前記接触式インターフェイス及び非接触式インターフェイスからの状態信号に基づいて前記判別手段の初期化動作を行う初期化手段とを有し、  
前記初期化手段は、前記接触式インターフェイス及び非接触式インターフェイスからの状態信号を記憶すると共に、予め記憶されるプログラムに基づいて前記判別手段の初期化動作を行い、  
前記保持手段は、当該複合ＩＣカードが前記接触式インターフェイスまたは非接触式インターフェイスの一方を介して外部機器との通信中に、前記接触式インターフェイス及び非接触式インターフェイスからの状態信号を監視すると共に、この監視結果が、前記初期化手段に記憶されている前記接触式インターフェイスまたは非接触式インターフェイスからの状態信号と変化しているか否かを判別し、変化している場合に前記外部機器との通信を停止状態とすると共に、  
上記切替手段は、前記判別手段による判別結果が、前記非接触式インターフェイスにより起動されたとする場合に、当該複合ＩＣカードを照合媒体としての利用に加えてプリペイドカードとしての利用を可能としたことを特徴とする複合ＩＣカードが提供される。
【手続補正１７】
【補正対象書類名】明細書
【補正対象項目名】０１６３
【補正方法】変更
【補正の内容】
【０１６３】
【発明の効果】
以上詳述したように、この発明によれば、接触式及び非接触式インターフェイスを有する複合ＩＣカードにおいて、接触式及び非接触式インターフェイスのいずれのインターフェイスから駆動された場合でも誤動作を防止することにより、複合ＩＣカードとしての信頼性を十分に確保するようにした接触式及び非接触式インターフェイスを有する複合ＩＣカードを提供することができる。